(57)【要約】【課題】原子炉格納容器内の有機よう素を効率的に捕集可能な有機よう素捕集装置及び有機よう素捕集方法を提供する。【解決手段】原子炉格納容器１０内の有機よう素を捕集する有機よう素捕集装置１００であって、有機よう素を分解可能な不揮発性液体Ｌ１（例；イオン液体、界面活性剤溶液等）を入れた液体容器１と、原子炉格納容器１０内の有機よう素を含む流体を不揮発性液体Ｌ１に導入するための導入配管２ａとを備え、不揮発性液体Ｌ１は、原子炉格納容器１０内の熱、又は、原子炉格納容器１０内の流体の反応熱によって加熱されてから有機よう素を分解する。有機よう素捕集方法は、有機よう素を分解可能な不揮発性液体Ｌ１を、原子炉格納容器１０内の熱、又は、原子炉格納容器１０内の流体の反応熱によって加熱し、有機よう素を含む流体を加熱された不揮発性液体Ｌ１に通し、有機よう素を不揮発性液体Ｌ１に分解させて捕集する。【選択図】図１
2020094979.tif 000002
【特許請求の範囲】
【請求項１】
原子炉格納容器内の有機よう素を捕集する有機よう素捕集装置であって、
有機よう素を分解可能な不揮発性液体を入れた液体容器と、
原子炉格納容器内の有機よう素を含む流体を前記不揮発性液体に導入するための導入配管と、を備え、
前記不揮発性液体は、前記原子炉格納容器内の熱、又は、前記原子炉格納容器内の流体の反応熱によって加熱されてから前記有機よう素を分解する有機よう素捕集装置。
【請求項２】
請求項１に記載の有機よう素捕集装置であって、
前記液体容器は、前記原子炉格納容器内のドライウェルに設置されており、
前記不揮発性液体は、前記原子炉格納容器内の熱によって加熱される有機よう素捕集装置。
【請求項３】
請求項１に記載の有機よう素捕集装置であって、
前記液体容器は、前記原子炉格納容器内のウェットウェルに設置されており、
前記不揮発性液体は、前記原子炉格納容器内の熱によって加熱される有機よう素捕集装置。
【請求項４】
請求項２又は請求項３に記載の有機よう素捕集装置であって、
前記液体容器の周囲に反応器を備え、
前記反応器は、前記原子炉格納容器内の流体を発熱反応させて反応熱を生じる有機よう素捕集装置。
【請求項５】
請求項２又は請求項３に記載の有機よう素捕集装置であって、
加圧されたガスを前記液体容器内に注入するためのガス注入装置と、
前記原子炉格納容器からベントされた流体が通されるフィルタベント容器と、を備え、
前記不揮発性液体は、前記原子炉格納容器内の熱によって加熱されてから、加圧された前記ガスの圧力で前記フィルタベント容器に送られ、前記フィルタベント容器において前記有機よう素を分解する有機よう素捕集装置。
【請求項６】
請求項２又は請求項３に記載の有機よう素捕集装置であって、
前記液体容器の周囲にヒータを備え、
前記ヒータは、前記原子炉格納容器内の熱によって加熱される前記不揮発性液体を更に加熱する有機よう素捕集装置。
【請求項７】
請求項１に記載の有機よう素捕集装置であって、
前記液体容器は、前記原子炉格納容器外に設置されており、
前記不揮発性液体は、前記原子炉格納容器内の熱によって加熱される有機よう素捕集装置。
【請求項８】
請求項７に記載の有機よう素捕集装置であって、
前記液体容器から前記原子炉格納容器内を通って前記液体容器に戻る循環配管を備え、
前記不揮発性液体は、前記液体容器内と前記原子炉格納容器内との間を循環しながら、前記原子炉格納容器内の熱によって加熱される有機よう素捕集装置。
【請求項９】
請求項１に記載の有機よう素捕集装置であって、
前記液体容器は、前記原子炉格納容器外に設置されており、
前記不揮発性液体は、前記原子炉格納容器内の流体の反応熱によって加熱される有機よう素捕集装置。
【請求項１０】
請求項９に記載の有機よう素捕集装置であって、
前記導入配管に反応器を備え、
前記反応器は、有機よう素を含む前記流体を発熱反応させて反応熱を生じる有機よう素捕集装置。
【請求項１１】
請求項１に記載の有機よう素捕集装置であって、
前記不揮発性液体に導入された前記流体を前記液体容器から排出するための排出配管を備え、
前記導入配管の出口は、前記液体容器内の上部に開口しており、
前記排出配管の入口は、前記液体容器内の下部に開口している有機よう素捕集装置。
【請求項１２】
請求項１に記載の有機よう素捕集装置であって、
前記不揮発性液体に導入された前記流体を前記液体容器から排出するための排出配管を備え、
前記導入配管の出口は、前記液体容器内の液相部に開口しており、
前記排出配管の入口は、前記液体容器内の気相部に開口している有機よう素捕集装置。
【請求項１３】
請求項１に記載の有機よう素捕集装置であって、
前記導入配管の入口は、前記原子炉格納容器内のドライウェルに開口している有機よう素捕集装置。
【請求項１４】
請求項１に記載の有機よう素捕集装置であって、
前記導入配管の入口は、前記原子炉格納容器内のウェットウェルに開口している有機よう素捕集装置。
【請求項１５】
原子炉格納容器内の有機よう素を捕集する有機よう素捕集方法であって、
有機よう素を分解可能な不揮発性液体を、原子炉格納容器内の熱、又は、原子炉格納容器内の流体の反応熱によって加熱し、
前記原子炉格納容器内の有機よう素を含む流体を、加熱された前記不揮発性液体に通し、
前記有機よう素を前記不揮発性液体に分解させて捕集する有機よう素捕集方法。
【発明の詳細な説明】
【技術分野】
【０００１】
本発明は、原子炉から放出される放射性有機よう素をはじめ、蒸気等の流体中に含まれる有機よう素を捕集する有機よう素捕集装置、及び、有機よう素捕集方法に関する。
【背景技術】
【０００２】
原子炉施設には、原子炉から放出された放射性物質が環境中に漏洩するのを防止するために、フィルタベント装置が設置されている。原子炉の事故で炉心が損傷したり、格納容器内の圧力が異常上昇したりすると、格納容器が破損して大規模漏洩に至るため、格納容器内の蒸気が未然にベントされる。高温・高圧の蒸気は、原子炉から格納容器内に放出されると、フィルタベント装置に通され、大気中に放出される前に主要な放射性物質を除去される。
【０００３】
原子炉の事故時に発生する放射性物質としては、希ガス、エアロゾル、無機よう素、有機よう素等がある。フィルタベント装置によると、希ガスを除くこれらの放射性物質が容器内に捕集され、環境への放出が防止される。一般に、フィルタベント装置は、特許文献１に記載されるように、容器内に、湿式フィルタとして働くスクラビング水を保持し、乾式フィルタである金属フィルタを内蔵している。
【０００４】
スクラビング水は、チオ硫酸ナトリウムと水酸化ナトリウム等を溶解した水溶液であり、ベントされた蒸気は、スクラビング水中に放出される。チオ硫酸ナトリウムとの反応でイオン化した無機よう素（元素状よう素）や、親水性のエアロゾルは、スクラビング水に溶解することで捕集されている。また、気相に放出されたエアロゾルは、金属フィルタに付着・衝突して捕集されている。有機よう素は、特許文献２に記載されるように、銀ゼオライトや活性炭等の乾式フィルタで捕集されている。
【先行技術文献】
【特許文献】
【０００５】
【特許文献１】特表２０１５−５２２１６１号公報
【特許文献２】特開平７−２０９４８８号公報
【発明の概要】
【発明が解決しようとする課題】
【０００６】
原子炉から放出される有機よう素は、よう化メチルをはじめとして水に難溶であり、ベント時に圧力抑制室のプール水やスクラビング水に導入されても、十分には捕集されない。また、よう化メチル等の有機よう素は、原子炉からの排気過程で、元素状よう素の反応によって新生することもある。これらの理由で、有機よう素は漏洩を阻止するのが難しい放射性物質となるため、有機よう素を効率的に捕集できるフィルタベント装置が求められている。
【０００７】
有機よう素を捕集するための捕集材としては、銀ゼオライトや活性炭が知られている（特許文献２参照）。しかし、これらの捕集材は、水分が付着した場合に捕集効率が低下するため、特許文献２のように湿分を除去する機構を必要とし、フィルタベント装置の構造を複雑化させる。また、これらの捕集材は大量に必要なため、特許文献２のように特別な装置設計や複雑な装置構造を要したり、捕集材自体のコストが嵩んだりする。
【０００８】
そこで、本発明は、原子炉格納容器内の有機よう素を効率的に捕集可能な有機よう素捕集装置及び有機よう素捕集方法を提供することを目的とする。
【０００９】
前記課題を解決するために本発明に係る有機よう素捕集装置は、原子炉格納容器内の有機よう素を捕集する有機よう素捕集装置であって、有機よう素を分解可能な不揮発性液体を入れた液体容器と、原子炉格納容器内の有機よう素を含む流体を前記不揮発性液体に導入するための導入配管と、を備え、前記不揮発性液体は、前記原子炉格納容器内の熱、又は、前記原子炉格納容器内の流体の反応熱によって加熱されてから前記有機よう素を分解する。
【００１０】
また、本発明に係る有機よう素捕集方法は、原子炉格納容器内の有機よう素を捕集する有機よう素捕集方法であって、有機よう素を分解可能な不揮発性液体を、原子炉格納容器内の熱、又は、原子炉格納容器内の流体の反応熱によって加熱し、前記原子炉格納容器内の有機よう素を含む流体を、加熱された前記不揮発性液体に通し、前記有機よう素を前記不揮発性液体に分解させて捕集する。
【発明の効果】
【００１１】
本発明によると、原子炉格納容器内の有機よう素を効率的に捕集可能な有機よう素捕集装置及び有機よう素捕集方法を提供することができる。
【図面の簡単な説明】
【００１２】
【図１】本発明に係る有機よう素捕集装置の一例を模式的に示す断面図である。
【図２】本発明に係る有機よう素捕集装置の一例を模式的に示す断面図である。
【図３】本発明に係る有機よう素捕集装置の一例を模式的に示す断面図である。
【図４】本発明に係る有機よう素捕集装置の一例を模式的に示す断面図である。
【図５】本発明に係る有機よう素捕集装置の一例を模式的に示す断面図である。
【図６】本発明に係る有機よう素捕集装置の一例を模式的に示す断面図である。
【図７】本発明に係る有機よう素捕集装置の一例を模式的に示す断面図である。
【図８】本発明に係る有機よう素捕集装置の一例を模式的に示す断面図である。
【図９】本発明に係る有機よう素捕集装置の一例を模式的に示す断面図である。
【図１０】本発明に係る有機よう素捕集装置の一例を模式的に示す断面図である。
【図１１】本発明に係る有機よう素捕集装置の一例を模式的に示す断面図である。
【図１２】本発明に係る有機よう素捕集装置の一例を模式的に示す断面図である。
【発明を実施するための形態】
【００１３】
以下、本発明の一実施形態に係る有機よう素捕集装置、及び、有機よう素捕集方法について、図を参照しながら説明する。なお、以下の各図において、主機能が共通する構成については同一の符号を付して重複した説明を省略する。
【００１４】
本実施形態に係る有機よう素捕集装置、及び、有機よう素捕集方法は、原子炉の事故時に実施するフィルタベントに際し、原子炉格納容器内に放出された有機よう素を含むガス（流体）を、湿式フィルタとして働く不揮発性液体に通し、ガス中の有機よう素を不揮発性液体に分解させて捕集するものである。この装置・方法では、放射性有機よう素をイオンの状態に分解して隔離下の容器内に捕集する。
【００１５】
不揮発性液体としては、１６０℃程度よりも低温で実質的に揮発しない不揮発性の液体が用いられる。原子炉の事故時には、１６０℃前後の高温の蒸気のベントが想定されている。湿式フィルタとして働く液体が不揮発性であれば、ベント時に高温・高圧のガスが導入されたとしても、液体自体が揮散するのを避けることができる。不揮発性液体としては、２００℃よりも低温で実質的に揮発しないものがより好ましい。
【００１６】
また、不揮発性液体としては、有機よう素を分解する作用を示す液体が用いられる。湿式フィルタとして働く液体が有機よう素を分解可能であると、放射性有機よう素から放射性よう素イオンを解離させることができる。よう素イオンは、有機よう素と比較して液相中でより安定なため、放射性有機よう素を液相に捕集して環境への漏洩を確実に防止することができる。
【００１７】
不揮発性液体としては、例えば、イオン液体、界面活性剤溶液、これらの混合液等を用いることができる。特に好ましい不揮発性液体は、イオン液体である。イオン液体によると、１６０℃以下で実質的に揮発しない不揮発性、１６０℃前後の高温に耐える耐熱性、高い耐放射線性、高い化学的安定性、高い電気的安定性等が得られる。また、液体同士の相溶性の制御や、液体同士の比重の制御を、多種多様なイオンの組み合わせに基づいて容易に行うことができる。
【００１８】
イオン液体を構成するカチオンとしては、例えば、ホスホニウム、アンモニウム、スルホニウム、ピロリジニウム、ピペリジニウム等の有機カチオンが挙げられる。
【００１９】
イオン液体を構成するカチオンとしては、鎖状の炭素鎖を有する有機カチオンや、環状の炭素鎖を有する有機カチオン等のいずれであってもよいが、炭素数が２以上の炭素鎖を有する有機カチオンが好ましい。このような嵩高い有機カチオンであると、有機よう素とカチオンとの反応速度が高くなるため、有機よう素を高い捕集効率で捕集することができる。
【００２０】
イオン液体を構成するアニオンとしては、例えば、ハロゲン、テトラフルオロボレート、ヘキサフルオロホスフェート等の無機アニオンや、アセテート、スルホネート、イミデート等の有機アニオンが挙げられる。ハロゲンとしては、フッ化物イオン、塩化物イオン、臭化物イオン、よう化物イオン等が挙げられる。
【００２１】
イオン液体を構成するアニオンとしては、有機よう素を分解する作用が強い点で、求核性が高いイオンが好ましい。アニオンとしては、求核性が高い点、熱分解や加水分解を生じ難い点、フィルタベント容器に注入された場合にスクラビング水のｐＨを変化させ難い点等から、ハロゲン、イミデート、又は、テトラフルオロボレートがより好ましい。
【００２２】
イオン液体を構成するハロゲンとしては、安全性と求核性が高い点で、塩化物イオンが好ましい。また、元素状よう素の揮発による放射性物質の漏洩を避ける点からは、非放射性のよう化物イオンが好ましい。放射性有機よう素を一旦分解して捕集したとしても、液相に捕捉した放射性よう素イオンが、液相中のよう素イオンと反応して、揮発性の元素状よう素を生成する可能性がある。イオン液体を構成するハロゲンが非放射性のよう化物イオンであると、元素状よう素を生成する確率を低くすることができる。
【００２３】
不揮発性液体の具体例としては、トリヘキシル（テトラデシル）ホスホニウムクロリド、トリヘキシル（テトラデシル）ホスホニウムジシアナミド等が挙げられる。不揮発性液体としては、有機よう素を分解する能力が高い点等から、トリヘキシル（テトラデシル）ホスホニウムクロリドが特に好ましい。
【００２４】
通常、有機よう素の分解反応は、有機よう素を含むガスが求核性が高い液体に導入されたとき、結合性よう素への攻撃によって速やかに開始される。しかし、従来一般的な湿式フィルタは、原子炉の事故前には、常温下におかれている。原子炉の事故時には、原子炉格納容器内の高温・高圧のガスがベントされて湿式フィルタに通されるが、ベントの初期には、湿式フィルタが低温のままである可能性がある。
【００２５】
そこで、本実施形態に係る有機よう素捕集装置、及び、有機よう素捕集方法では、有機よう素を分解可能な不揮発性液体を加熱してから有機よう素を分解する。不揮発性液体は、原子炉格納容器内の熱や、原子炉格納容器内の物質の反応熱や、これらの両方を利用して、常温を超える任意の温度まで加熱することができる。また、不揮発性液体は、有機よう素を含むガスを不揮発性液体に導入する前に加熱してもよいし、有機よう素を含むガスを不揮発性液体に導入しながら加熱してもよい。
【００２６】
図１は、本発明に係る有機よう素捕集装置の一例を模式的に示す断面図である。
図１には、有機よう素を分解可能な不揮発性液体を入れた液体容器が、原子炉格納容器内のドライウェルに設置されており、不揮発性液体が、原子炉格納容器内の熱によって加熱される捕集装置を示す。
【００２７】
図１に示すように、本実施形態に係る捕集装置１００は、原子炉圧力容器を内包した原子炉格納容器１０と、原子炉格納容器１０内の蒸気（ガス）を放射性物質を除去して環境中に放出するフィルタベント装置２０と、に組み込まれている。捕集装置１００は、液体容器１と、上流側ベント配管（２ａ，２ｂ）と、圧力開放弁４と、隔離弁５と、フィルタベント容器６と、金属フィルタ７と、下流側ベント配管８と、排気筒９と、を備えている。
【００２８】
原子炉格納容器１０は、原子炉圧力容器が収納されたドライウェル１１と、圧力抑制プールが形成されたウェットウェル１２と、を有している。ウェットウェル１２には、プール水が溜められる。ドライウェル１１中に放出された蒸気や、主蒸気系から過圧で逃された蒸気は、不図示のベント管を介してウェットウェル１２に流入することができる。高温・高圧のガスがプール水で凝縮されることにより、原子炉格納容器１０内の圧力が抑制される。
【００２９】
捕集装置１００において、ドライウェル１１には、原子炉格納容器１０内のガスをベントするための上流側ベント配管（２ａ，２ｂ）が接続されている。上流側ベント配管（２ａ，２ｂ）の途中には、液体容器１が連結されている。液体容器１は、原子炉格納容器１０のドライウェル１１内に設置されている。
【００３０】
液体容器１は、有機よう素を分解可能な不揮発性液体Ｌ１を入れる密閉型の容器である。液体容器１には、湿式フィルタとして働く不揮発性液体Ｌ１が、原子炉の事故に備えて用意される。液体容器１の形状、容量、不揮発性液体Ｌ１の量は、特に制限されるものではない。液体容器１には、不揮発性液体Ｌ１を効率的に加熱するために、熱交換用のフィン、チューブ等を設けてもよい。
【００３１】
液体容器１の入口側には、上流側ベント配管を構成する導入配管２ａが接続されている。導入配管２ａの入口は、原子炉格納容器１０内のドライウェル１１に開口している。また、導入配管２ａの出口は、液体容器１内の上部に開口している。
【００３２】
導入配管２ａは、原子炉格納容器１０内のガス（流体）をベントするための配管であり、有機よう素を含むガス（流体）を不揮発性液体Ｌ１に導入するために用いられる。導入配管２ａには、圧力開放弁４が設けられている。圧力開放弁４は、大気圧を超える所定の設定圧力で開放される常閉型の弁である。
【００３３】
また、液体容器１の出口側には、上流側ベント配管を構成する排出配管２ｂが接続されている。排出配管２ｂの入口は、液体容器１内の下部に開口している。また、排出配管２ｂの他端は、フィルタベント容器６に接続されている。排出配管２ｂの出口は、フィルタベント容器６内の液相部に開口している。
【００３４】
排出配管２ｂは、原子炉格納容器１０内のガス（流体）をベントするための配管であり、不揮発性液体Ｌ１に導入されたガス（流体）を液体容器１から排出するために用いられる。排出配管２ｂには、隔離弁５が設けられている。隔離弁５は、手動操作又は自動操作により開閉自在な常閉型の弁である。
【００３５】
フィルタベント容器６は、ベントされたガスを凝縮させると共に、ガスに含まれている放射性物質を除去するために用いられる。フィルタベント容器６には、スクラビング水Ｌ２が用意される。スクラビング水Ｌ２は、チオ硫酸ナトリウムや、水酸化ナトリウム等のアルカリを溶解した水溶液とされる。排出配管２ｂの出口には、例えば、多連のベンチュリノズル等で形成される不図示のスクラバノズルを取り付けることができる。スクラバノズルによると、ベントされたガスを、微細な気泡として液体中に噴出させることができる。
【００３６】
フィルタベント容器６は、容器内の上部に金属フィルタ７を備えている。金属フィルタ７は、金属繊維、金属メッシュ等が積層されることによって形成される。金属フィルタ７によると、容器内の気相に放出されたエアロゾルを、金属への付着、衝突等によって捕集することができる。
【００３７】
フィルタベント容器６において、金属フィルタ７の二次側には、下流側ベント配管８が接続されている。下流側ベント配管８の他端は、排気筒９に接続されている。排気筒９は、原子炉格納容器１０内からベントされたガスを環境中に放出するために備えられる。
【００３８】
フィルタベント容器６は、液体中に噴出させた高温・高圧のガスに対して抵抗を及ぼす不図示のバッフルを備えることもできる。バッフルとしては、例えば、オリフィス状の邪魔板や、螺旋板や、金属メッシュ、パンチングメタル等の多孔板や、セラミック等の多孔質体等を、フィルタベント容器６内の液相部の高さに設けることができる。
【００３９】
フィルタベント容器６に流入する有機よう素は、ガス状であると推定される。ガス状の有機よう素の液体への溶解や、有機よう素の分解は、気泡内での拡散泳動、熱泳動、ブラウン拡散、対流等で進行すると考えられる。フィルタベント容器６内にバッフルを設けると、液体中に噴出させた気泡の滞留時間が長くなり、有機よう素と液体との接触時間が長くなるため、有機よう素の捕集効率が高められる。
【００４０】
次に、捕集装置１００を用いた有機よう素の捕集方法について具体的に説明する。
【００４１】
原子炉において、圧力容器が破損するような重大事故が発生したとき、格納容器内には、冷却水等の蒸発による高温・高圧の蒸気と共に、種々の放射性物質が放出される。原子炉の出力や事故のシナリオにもよるが、格納容器が破損する過酷事故時には、約１ｋｇ程度の放射性有機よう素が放出されると試算されている。有機よう素の主成分としては、揮発性を有するよう化メチル（ＣＨ３Ｉ）が想定されている。
【００４２】
原子炉に重大事故が発生し、格納容器内の圧力が過度に高くなると、格納容器が破損して放射性物質の大規模漏洩が生じる。そのため、このような事象を防ぐ措置として、ベントが実施される。ベントされるガス（蒸気）には、希ガス、エアロゾル、無機よう素、有機よう素等の放射性物質が含まれている。これらの放射性物質は、フィルタベント装置２０によって捕集されて環境への漏洩が防止される。
【００４３】
捕集装置１００では、液体容器１に入れた不揮発性液体Ｌ１を、原子炉格納容器１０のドライウェル１１内の熱によって加熱し、原子炉格納容器１０のドライウェル１１内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で予熱されてからフィルタベント容器６に移送され、液体容器１からフィルタベント容器６にかけて有機よう素を分解する。
【００４４】
原子炉の事故時に、原子炉格納容器１０内に高温・高圧の蒸気（ガス）が放出されると、原子炉格納容器１０内の温度・圧力が上昇する。液体容器１は、原子炉格納容器１０内のドライウェル１１に設置されている。そのため、液体容器１に用意された不揮発性液体Ｌ１は、ドライウェル１１内の熱によって加熱される。不揮発性液体Ｌ１は、原子炉構造材から液体容器１への熱伝導、空間中のガスから液体容器１への熱伝達、原子炉構造材や空間中のガスからの輻射等のいずれによって加熱してもよい。
【００４５】
原子炉の事故時に、原子炉格納容器１０内に高温・高圧のガスが放出され、原子炉格納容器１０内の圧力が設定圧力を超えると、圧力開放弁４が開く。圧力開放弁４が開くと、ドライウェル１１内の高温・高圧のガスが、導入配管２ａを通って液体容器１に流入する。液体容器１に用意された不揮発性液体Ｌ１は、流入するガスとの接触によって更に加熱されると共に、ガス中の有機よう素との反応を開始する。
【００４６】
原子炉格納容器１０内の圧力が高圧になり、ドライウェル１１のベントが必要であると判断されると、隔離弁５が開放される。隔離弁５は、圧力開放弁４と同時に開放してもよいし、圧力開放弁４よりも後に開放してもよい。隔離弁５が開放されると、液体容器１に用意された不揮発性液体Ｌ１は、高温・高圧のガスに押され、有機よう素を分解しながら、排出配管２ｂを通ってフィルタベント容器６に送られる。
【００４７】
原子炉格納容器１０内からベントされたガスは、不揮発性液体Ｌ１と共にフィルタベント容器６の液体中に噴出する。ベントされたガスは、用意された不揮発性液体Ｌ１の全てが液体容器１から排出された後は、フィルタベント容器６内の不揮発性液体Ｌ１に通される。
【００４８】
フィルタベント容器６では、ベントされたガスに含まれる有機よう素が、不揮発性液体Ｌ１と反応して、よう素イオンと有機物とに分解される。また、解離したよう素イオンや、ベントされたガスに含まれるエアロゾル、無機よう素等が、不揮発性液体Ｌ１やスクラビング水Ｌ２に溶解して捕集される。液相に捕集されず気相に放出されたエアロゾルは、金属フィルタ７に捕集される。その後、放射性物質が除去されたガスは、排気筒９を通じて環境中に放出される。
【００４９】
不揮発性液体Ｌ１としては、親水性（易水溶性）の物質からなる液体を用いてもよいし、疎水性（難水溶性）の物質からなる液体を用いてもよい。不揮発性液体Ｌ１が親水性であると、不揮発性液体Ｌ１とスクラビング水Ｌ２とが混和し易くなる。親水性の放射性物質は、溶解によって捕集され易くなり、疎水性の放射性物質は、凝集・沈降によって捕集され易くなる。一方、不揮発性液体Ｌ１が疎水性であると、疎水性の放射性物質が不揮発性液体Ｌ１に捕集され易くなり、親水性の放射性物質がスクラビング水Ｌ２に捕集され易くなる。
【００５０】
また、不揮発性液体Ｌ１としては、水やスクラビング水Ｌ２よりも比重が大きい液体を用いてもよいし、水やスクラビング水Ｌ２よりも比重が小さい液体を用いてもよい。疎水性の不揮発性液体Ｌ１であると、液体同士が容易に相分離して二層液体になる。比重が小さい不揮発性液体Ｌ１であると、上層が不揮発性液体Ｌ１、下層がスクラビング水Ｌ２となる。このような層構成であると、有機よう素や二次的に生成した元素状よう素の揮発を、上層の不揮発性液体Ｌ１で確実に阻止することができる。一方、比重が大きい不揮発性液体Ｌ１であると、上層がスクラビング水Ｌ２、下層が不揮発性液体Ｌ１となる。このような層構成であると、揮発性が低い放射性物質を、下層の不揮発性液体Ｌ１で凝集・沈降させて効率的に捕集することができる。
【００５１】
以上の捕集装置１００及び捕集方法によると、液体容器１が、原子炉格納容器１０内のドライウェル１１に設置されており、不揮発性液体Ｌ１が、原子炉格納容器１０内のドライウェル１１の熱によって加熱されるため、ベント時の不揮発性液体Ｌ１と有機よう素との反応速度を高くすることができる。不揮発性液体Ｌ１は、多量の有機よう素と接触する以前に予熱されるため、ベントの初期を含む広範な時期にわたって捕集効率を高くすることができる。よって、原子炉格納容器内の有機よう素を効率的に捕集可能な装置・方法を提供することができる。
【００５２】
また、以上の捕集装置１００及び捕集方法によると、導入配管２ａの出口が、液体容器１内の上部に開口しており、排出配管２ｂの入口が、液体容器１内の下部に開口しているため、液体容器１に用意した不揮発性液体Ｌ１を、原子炉格納容器１０の内外の圧力差と不揮発性液体Ｌ１の水頭を利用して、容易にフィルタベント容器６に移すことができる。不揮発性液体Ｌ１を移した後の液体容器１は空乏になるため、ベントされるガスに大きな通流抵抗が及ぶのを避けることができる。また、フィルタベント容器６に移されるため、不揮発性液体Ｌ１と有機よう素との反応時間を十分に確保することができるし、反応生成物を混相の液体に捕捉させることができる。
【００５３】
図２は、本発明に係る有機よう素捕集装置の一例を模式的に示す断面図である。
図２には、有機よう素を分解可能な不揮発性液体を入れた液体容器が、原子炉格納容器内のドライウェルに設置されており、不揮発性液体が、原子炉格納容器内の熱によって加熱される捕集装置を示す。
【００５４】
図２に示すように、本実施形態に係る捕集装置２００は、前記の捕集装置１００と同様に、原子炉格納容器１０と、フィルタベント装置２０と、に組み込まれている。捕集装置２００は、液体容器１と、上流側ベント配管（２ａ，２ｂ）と、圧力開放弁４と、隔離弁５と、フィルタベント容器６と、金属フィルタ７と、下流側ベント配管８と、排気筒９と、を備えている。
【００５５】
本実施形態に係る捕集装置２００が、前記の捕集装置１００と異なる点は、液体容器１、導入配管２ａ及び排出配管２ｂに関わる配管系統にある。捕集装置２００の他の装置構成は、前記の捕集装置１００と略同様である。
【００５６】
捕集装置２００において、導入配管２ａの入口は、原子炉格納容器１０内のドライウェル１１に開口している。導入配管２ａの出口は、液体容器１内の下部側にある液相部に開口している。一方、排出配管２ｂの入口は、液体容器１内の上部側にある気相部に開口している。排出配管２ｂの出口は、フィルタベント容器６内の液相部に開口している。
【００５７】
このような配管系統によると、液体容器１を湿式フィルタとして機能させることができる。導入配管２ａの出口には、例えば、多連のベンチュリノズル等で形成されるスクラバノズルを取り付けることができる。また、湿式フィルタとして機能する液体容器１には、フィルタベント容器６と同様に、液体中に噴出させた高温・高圧のガスに対して抵抗を及ぼすバッフルを設けることもできる。
【００５８】
次に、捕集装置２００を用いた有機よう素の捕集方法について具体的に説明する。
【００５９】
捕集装置２００では、液体容器１に入れた不揮発性液体Ｌ１を、原子炉格納容器１０のドライウェル１１内の熱によって加熱し、原子炉格納容器１０のドライウェル１１内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で加熱されながら有機よう素を分解する。
【００６０】
原子炉の事故時に、原子炉格納容器１０内に高温・高圧の蒸気（ガス）が放出されると、原子炉格納容器１０内の温度・圧力が上昇する。液体容器１は、原子炉格納容器１０内のドライウェル１１に設置されている。そのため、液体容器１に用意された不揮発性液体Ｌ１は、ドライウェル１１内の熱によって加熱される。
【００６１】
原子炉の事故時に、原子炉格納容器１０内に高温・高圧のガスが放出され、ドライウェル１１内の圧力が設定圧力を超えると、圧力開放弁４が開く。圧力開放弁４が開くと、ドライウェル１１内の高温・高圧のガスが、導入配管２ａを通って液体容器１に流入する。液体容器１に用意された不揮発性液体Ｌ１は、流入するガスとの接触によって更に加熱されると共に、ガス中の有機よう素との反応を開始する。
【００６２】
液体容器１では、ベントされたガスに含まれる有機よう素が、不揮発性液体Ｌ１と反応して、よう素イオンと有機物とに分解される。また、解離したよう素イオンや、ベントされたガスに含まれるエアロゾル、無機よう素等が、不揮発性液体Ｌ１に溶解して捕集される。
【００６３】
原子炉格納容器１０内の圧力が高圧になり、ドライウェル１１や液体容器１のベントが必要であると判断されると、隔離弁５が開放される。隔離弁５は、圧力開放弁４と同時に開放してもよいし、圧力開放弁４よりも前に開放してもよいし、圧力開放弁４よりも後に開放してもよい。隔離弁５が開放されると、液体容器１内の液相に捕集されず気相に放出された放射性物質は、排出配管２ｂを通じてフィルタベント容器６に送られる。
【００６４】
フィルタベント容器６では、ベントされたガスに残留している放射性物質が、スクラビング水Ｌ２中に溶解・凝集して捕集される。液相に捕集されず気相に放出されたエアロゾルは、金属フィルタ７に捕集される。その後、放射性物質が除去されたガスは、排気筒９を通じて環境中に放出される。
【００６５】
以上の捕集装置２００及び捕集方法によると、液体容器１が、原子炉格納容器１０内のドライウェル１１に設置されており、不揮発性液体Ｌ１が、原子炉格納容器１０内のドライウェル１１の熱によって加熱されるため、ベント時の不揮発性液体Ｌ１と有機よう素との反応速度を高くすることができる。不揮発性液体Ｌ１は、多量の有機よう素と接触する以前に予熱され、反応中にも加熱されるため、ベントの初期を含む広範な時期にわたって捕集効率を高くすることができる。よって、原子炉格納容器内の有機よう素を効率的に捕集可能な装置・方法を提供することができる。
【００６６】
また、以上の捕集装置２００及び捕集方法によると、導入配管２ａの出口が、液体容器１内の下部側にある液相部に開口しており、排出配管２ｂの入口が、液体容器１内の上部側にある気相部に開口しているため、液体容器１内で捕集を続けることができる。有機よう素や、その他の放射性物質は、格納容器バウンダリ内に捕集されるため、捕集した放射性物質の漏洩リスクを、より低減することができる。
【００６７】
図３は、本発明に係る有機よう素捕集装置の一例を模式的に示す断面図である。
図３には、有機よう素を分解可能な不揮発性液体を入れた液体容器が、原子炉格納容器外に設置されており、不揮発性液体が、原子炉格納容器内の熱によって加熱される捕集装置を示す。
【００６８】
図３に示すように、本実施形態に係る捕集装置３００は、前記の捕集装置１００と同様に、原子炉格納容器１０と、フィルタベント装置２０と、に組み込まれている。捕集装置３００は、液体容器１と、上流側ベント配管（２ａ，２ｂ）と、隔離弁５と、フィルタベント容器６と、金属フィルタ７と、下流側ベント配管８と、排気筒９と、循環配管１３と、を備えている。
【００６９】
本実施形態に係る捕集装置３００が、前記の捕集装置１００と異なる点は、液体容器１が、原子炉格納容器１０外に設置されており、液体容器１に循環配管１３が接続されている点である。捕集装置３００の他の装置構成は、前記の捕集装置１００と略同様である。
【００７０】
捕集装置２００において、上流側ベント配管（２ａ，２ｂ）の途中には、液体容器１が連結されている。液体容器１は、原子炉格納容器１０外に設置されている。液体容器１は、原子炉格納容器１０外であれば、原子炉建屋内に設置してもよいし、原子炉建屋外に設置してもよい。
【００７１】
液体容器１の入口側には、前記の捕集装置１００と同様に、上流側ベント配管を構成する導入配管２ａが接続されている。導入配管２ａには、隔離弁５が設けられている。また、液体容器１の出口側には、前記の捕集装置１００と同様に、上流側ベント配管を構成する排出配管２ｂが接続されている。
【００７２】
このような配管系統によると、液体容器１を湿式フィルタとして機能させることができる。導入配管２ａの出口には、例えば、多連のベンチュリノズル等で形成されるスクラバノズルを取り付けることができる。また、湿式フィルタとして機能する液体容器１には、フィルタベント容器６と同様に、液体中に噴出させた高温・高圧のガスに対して抵抗を及ぼすバッフルを設けることもできる。
【００７３】
循環配管１３は、液体容器１から原子炉格納容器１０のドライウェル１１内を通って液体容器１に戻る閉環状の流路を形成している。循環配管１３の一端は、液体容器１の下部に接続しており、他端は、それよりも上部側に接続している。循環配管１３の中間部は、ドライウェル１１内にあり、管路が鉛直方向に沿うように縦向きに敷設されている。
【００７４】
循環配管１３によると、原子炉格納容器１０内の熱で循環配管１３内の不揮発性液体Ｌ１が加熱されたとき、不揮発性液体Ｌ１を、自然対流によって循環させることができる。循環配管１３の中間部で不揮発性液体Ｌ１が加熱されると、循環配管１３の中間部の不揮発性液体Ｌ１が上昇し、より低温である液体容器１内の不揮発性液体Ｌ１が下降するため、不揮発性液体Ｌ１が自然循環する。
【００７５】
次に、捕集装置３００を用いた有機よう素の捕集方法について具体的に説明する。
【００７６】
捕集装置３００では、液体容器１に入れた不揮発性液体Ｌ１を、原子炉格納容器１０のドライウェル１１内の熱によって加熱し、原子炉格納容器１０のドライウェル１１内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で加熱されながら有機よう素を分解する。
【００７７】
原子炉の事故時に、原子炉格納容器１０内に高温・高圧の蒸気（ガス）が放出されると、原子炉格納容器１０内の温度・圧力が上昇する。液体容器１は、原子炉格納容器１０外に設置されているが、原子炉格納容器１０内を通る循環配管１３内の不揮発性液体Ｌ１が加熱される。そのため、不揮発性液体Ｌ１は、液体容器１内と原子炉格納容器１０内との間を循環配管１３を通じて自然循環しながら、原子炉格納容器１０内の熱によって加熱される。
【００７８】
原子炉格納容器１０内の圧力が高圧になり、ドライウェル１１のベントが必要であると判断されると、隔離弁５が開放される。隔離弁５が開放されると、ドライウェル１１内の高温・高圧のガスが、導入配管２ａを通って液体容器１に流入する。液体容器１に用意された不揮発性液体Ｌ１は、流入するガスとの接触によって更に加熱されると共に、ガス中の有機よう素との反応を開始する。
【００７９】
液体容器１では、前記の捕集装置２００と同様に、ベントされたガスに含まれる放射性物質が、不揮発性液体Ｌ１によって捕集される。また、フィルタベント容器６では、前記の捕集装置２００と同様に、液体容器１内の液相に捕集されず気相に放出された放射性物質が、スクラビング水Ｌ２や、金属フィルタ７によって捕集される。
【００８０】
以上の捕集装置３００及び捕集方法によると、液体容器１が、原子炉格納容器１０外に設置されているが、不揮発性液体Ｌ１が、循環配管１３を通じて原子炉格納容器１０内の熱によって加熱されるため、原子炉格納容器１０内に液体容器１の設置場所を設けなくとも、ベント時の不揮発性液体Ｌ１と有機よう素との反応速度を高くすることができる。不揮発性液体Ｌ１は、多量の有機よう素と接触する以前に予熱され、反応中にも加熱されるため、ベントの初期を含む広範な時期にわたって捕集効率を高くすることができる。よって、原子炉格納容器内の有機よう素を効率的に捕集可能な装置・方法を提供することができる。
【００８１】
また、以上の捕集装置３００及び捕集方法によると、導入配管２ａの出口が、液体容器１内の下部側にある液相部に開口しており、排出配管２ｂの入口が、液体容器１内の上部側にある気相部に開口しているため、前記の捕集装置２００と同様に、液体容器１内で捕集を続けることができる。液体容器１内の不揮発性液体Ｌ１は、自然循環によって全体的に加熱されるため、ポンプ等で強制循環させる必要がなく、電源喪失時であっても高い捕集効率を得ることができる。また、自然循環によって攪拌されるため、不揮発性液体Ｌ１と有機よう素とを効率的に反応させることができる。
【００８２】
図４は、本発明に係る有機よう素捕集装置の一例を模式的に示す断面図である。
図４には、有機よう素を分解可能な不揮発性液体を入れた液体容器が、原子炉格納容器内のドライウェルに設置されており、不揮発性液体が、原子炉格納容器内の熱によって加熱される捕集装置を示す。
【００８３】
図４に示すように、本実施形態に係る捕集装置４００は、前記の捕集装置１００と同様に、原子炉格納容器１０と、フィルタベント装置２０と、に組み込まれている。捕集装置４００は、液体容器１と、上流側ベント配管（２ａ，２ｂ）と、圧力開放弁４と、隔離弁５と、フィルタベント容器６と、金属フィルタ７と、下流側ベント配管８と、排気筒９と、を備えている。
【００８４】
本実施形態に係る捕集装置４００が、前記の捕集装置１００と異なる点は、導入配管２ａに関わる配管系統にある。捕集装置４００の他の装置構成は、前記の捕集装置１００と略同様である。
【００８５】
捕集装置４００において、導入配管２ａの入口は、原子炉格納容器１０内のウェットウェル１２に開口している。導入配管２ａの出口は、液体容器１内の上部に開口している。導入配管２ａには、圧力開放弁４が設けられている。一方、排出配管２ｂの入口は、液体容器１内の下部に開口している。排出配管２ｂの出口は、フィルタベント容器６内の液相部に開口している。排出配管２ｂには、隔離弁５が設けられている。
【００８６】
次に、捕集装置４００を用いた有機よう素の捕集方法について具体的に説明する。
【００８７】
捕集装置４００では、液体容器１に入れた不揮発性液体Ｌ１を、原子炉格納容器１０のドライウェル１１内の熱によって加熱し、原子炉格納容器１０のウェットウェル１２内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で予熱されてからフィルタベント容器６に移送され、液体容器１からフィルタベント容器６にかけて有機よう素を分解する。
【００８８】
原子炉の事故時に、原子炉格納容器１０内に高温・高圧の蒸気（ガス）が放出されると、原子炉格納容器１０内の温度・圧力が上昇する。液体容器１は、原子炉格納容器１０内のドライウェル１１に設置されている。そのため、液体容器１に用意された不揮発性液体Ｌ１は、ドライウェル１１内の熱によって加熱される。
【００８９】
原子炉の事故時に、原子炉格納容器１０内に高温・高圧のガスが放出され、ウェットウェル１２内の圧力が設定圧力を超えると、圧力開放弁４が開く。圧力開放弁４が開くと、ウェットウェル１２内の高温・高圧のガスが、導入配管２ａを通って液体容器１に流入する。液体容器１に用意された不揮発性液体Ｌ１は、流入するガスとの接触によって更に加熱されると共に、ガス中の有機よう素との反応を開始する。
【００９０】
原子炉格納容器１０内の圧力が高圧になり、ウェットウェル１２のベントが必要であると判断されると、隔離弁５が開放される。隔離弁５は、圧力開放弁４と同時に開放してもよいし、圧力開放弁４よりも後に開放してもよい。隔離弁５が開放されると、液体容器１に用意された不揮発性液体Ｌ１は、高温・高圧のガスに押され、有機よう素を分解しながら、排出配管２ｂを通ってフィルタベント容器６に送られる。
【００９１】
フィルタベント容器６では、前記の捕集装置１００と同様に、ベントされたガスに含まれる放射性物質が、不揮発性液体Ｌ１や、スクラビング水Ｌ２や、金属フィルタ７によって捕集される。
【００９２】
以上の捕集装置４００及び捕集方法によると、液体容器１が、原子炉格納容器１０内のドライウェル１１に設置されており、不揮発性液体Ｌ１が、原子炉格納容器１０内のドライウェル１１の熱によって加熱されるため、ベント時の不揮発性液体Ｌ１と有機よう素との反応速度を高くすることができる。不揮発性液体Ｌ１は、多量の有機よう素と接触する以前に予熱されるため、ベントの初期を含む広範な時期にわたって捕集効率を高くすることができる。よって、原子炉格納容器内の有機よう素を効率的に捕集可能な装置・方法を提供することができる。
【００９３】
また、以上の捕集装置４００及び捕集方法によると、導入配管２ａの入口が、原子炉格納容器１０内のウェットウェル１２に開口しているため、ウェットウェル１２内の非凝縮性のガスをベントするとき、有機よう素の効率的な捕集を行うことができる。ウェットウェル１２内では、ガス中の放射性物質の一部が、プール水に予め捕集されるため、より安全なベントが行われる。また、液体容器１がドライウェル１１に設置されているため、ウェットウェル１２に設置する場合と比較して、より高温の熱を不揮発性液体Ｌ１の加熱に利用することができる。
【００９４】
図５は、本発明に係る有機よう素捕集装置の一例を模式的に示す断面図である。
図５には、有機よう素を分解可能な不揮発性液体を入れた液体容器が、原子炉格納容器外に設置されており、不揮発性液体が、原子炉格納容器内の熱によって加熱される捕集装置を示す。
【００９５】
図５に示すように、本実施形態に係る捕集装置５００は、前記の捕集装置３００と同様に、原子炉格納容器１０と、フィルタベント装置２０と、に組み込まれている。捕集装置５００は、液体容器１と、上流側ベント配管（２ａ，２ｂ）と、隔離弁５と、フィルタベント容器６と、金属フィルタ７と、下流側ベント配管８と、排気筒９と、循環配管１３と、を備えている。
【００９６】
本実施形態に係る捕集装置５００が、前記の捕集装置３００と異なる点は、導入配管２ａに関わる配管系統にある。捕集装置５００の他の装置構成は、前記の捕集装置３００と略同様である。
【００９７】
捕集装置５００において、ウェットウェル１２には、原子炉格納容器１０内のガスをベントするための上流側ベント配管（２ａ，２ｂ）が接続している。上流側ベント配管（２ａ，２ｂ）の途中には、液体容器１が連結されている。液体容器１は、原子炉格納容器１０外に設置されている。液体容器１は、原子炉格納容器１０外であれば、原子炉建屋内に設置してもよいし、原子炉建屋外に設置してもよい。
【００９８】
液体容器１の入口側には、上流側ベント配管を構成する導入配管２ａが接続されている。導入配管２ａの入口は、原子炉格納容器１０内のウェットウェル１２に開口している。導入配管２ａの出口は、液体容器１内の下部側にある液相部に開口している。導入配管２ａには、隔離弁５が設けられている。
【００９９】
また、液体容器１の出口側には、上流側ベント配管を構成する排出配管２ｂが接続されている。排出配管２ｂの入口は、液体容器１内の上部側にある気相部に開口している。排出配管２ｂの他端は、フィルタベント容器６に接続されている。排出配管２ｂの出口は、フィルタベント容器６内の液相部に開口している。
【０１００】
このような配管系統によると、液体容器１を湿式フィルタとして機能させることができる。循環配管１３は、前記の捕集装置３００と同様に、液体容器１から原子炉格納容器１０のドライウェル１１内を通って液体容器１に戻る閉環状の流路を形成している。
【０１０１】
次に、捕集装置５００を用いた有機よう素の捕集方法について具体的に説明する。
【０１０２】
捕集装置５００では、液体容器１に入れた不揮発性液体Ｌ１を、原子炉格納容器１０のドライウェル１１内の熱によって加熱し、原子炉格納容器１０のウェットウェル１２内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で加熱されながら有機よう素を分解する。
【０１０３】
原子炉の事故時に、原子炉格納容器１０内に高温・高圧の蒸気（ガス）が放出されると、原子炉格納容器１０内の温度・圧力が上昇する。液体容器１は、原子炉格納容器１０外に設置されているが、原子炉格納容器１０内を通る循環配管１３内の不揮発性液体Ｌ１が加熱される。そのため、不揮発性液体Ｌ１は、液体容器１内と原子炉格納容器１０内との間を循環配管１３を通じて自然循環しながら、原子炉格納容器１０内の熱によって加熱される。
【０１０４】
また、原子炉の事故時に、ウェットウェル１２のベントが必要であると判断されると、隔離弁５が開放される。隔離弁５が開放されると、ウェットウェル１２内の高温・高圧のガスが、導入配管２ａを通って液体容器１に流入する。液体容器１に用意された不揮発性液体Ｌ１は、流入するガスとの接触によって更に加熱されると共に、ガス中の有機よう素との反応を開始する。
【０１０５】
液体容器１では、前記の捕集装置３００と同様に、ベントされたガスに含まれる放射性物質が、不揮発性液体Ｌ１によって捕集される。また、フィルタベント容器６では、前記の捕集装置２００と同様に、液体容器１内の液相に捕集されず気相に放出された放射性物質が、スクラビング水Ｌ２や、金属フィルタ７によって捕集される。
【０１０６】
以上の捕集装置５００及び捕集方法によると、液体容器１が、原子炉格納容器１０外に設置されているが、不揮発性液体Ｌ１が、循環配管１３を通じて原子炉格納容器１０内の熱によって加熱されるため、原子炉格納容器１０内に液体容器１の設置場所を設けなくとも、ベント時の不揮発性液体Ｌ１と有機よう素との反応速度を高くすることができる。不揮発性液体Ｌ１は、多量の有機よう素と接触する以前に予熱され、反応中にも加熱されるため、ベントの初期を含む広範な時期にわたって捕集効率を高くすることができる。よって、原子炉格納容器内の有機よう素を効率的に捕集可能な装置・方法を提供することができる。
【０１０７】
また、以上の捕集装置５００及び捕集方法によると、導入配管２ａの出口が、液体容器１内の下部側にある液相部に開口しており、排出配管２ｂの入口が、液体容器１内の上部側にある気相部に開口しているため、前記の捕集装置３００と同様に、液体容器１内で捕集を続けることができる。液体容器１内の不揮発性液体Ｌ１は、自然循環によって全体的に加熱されるため、ポンプ等で強制循環させる必要がなく、電源喪失時であっても高い捕集効率を得ることができる。また、自然循環によって攪拌されるため、不揮発性液体Ｌ１と有機よう素とを効率的に反応させることができる。
【０１０８】
図６は、本発明に係る有機よう素捕集装置の一例を模式的に示す断面図である。
図６には、有機よう素を分解可能な不揮発性液体を入れた液体容器が、原子炉格納容器内のウェットウェルに設置されており、不揮発性液体が、原子炉格納容器内の熱によって加熱される捕集装置を示す。
【０１０９】
図６に示すように、本実施形態に係る捕集装置６００は、前記の捕集装置１００と同様に、原子炉格納容器１０と、フィルタベント装置２０と、に組み込まれている。捕集装置６００は、液体容器１と、上流側ベント配管（２ａ，２ｂ）と、圧力開放弁４と、隔離弁５と、フィルタベント容器６と、金属フィルタ７と、下流側ベント配管８と、排気筒９と、を備えている。
【０１１０】
本実施形態に係る捕集装置６００が、前記の捕集装置１００と異なる点は、液体容器１の設置位置と、導入配管２ａ及び排出配管２ｂに関わる配管系統にある。捕集装置６００の他の装置構成は、前記の捕集装置１００と略同様である。
【０１１１】
捕集装置６００において、ウェットウェル１２には、原子炉格納容器１０内のガスをベントするための上流側ベント配管（２ａ，２ｂ）が接続している。上流側ベント配管（２ａ，２ｂ）の途中には、液体容器１が連結されている。液体容器１は、原子炉格納容器１０のウェットウェル１２内に設置されている。
【０１１２】
液体容器１の入口側には、上流側ベント配管を構成する導入配管２ａが接続されている。導入配管２ａの入口は、原子炉格納容器１０内のウェットウェル１２に開口している。導入配管２ａの出口は、液体容器１内の上部に開口している。導入配管２ａには、圧力開放弁４が設けられている。
【０１１３】
また、液体容器１の出口側には、上流側ベント配管を構成する排出配管２ｂが接続されている。排出配管２ｂの入口は、液体容器１内の下部に開口している。排出配管２ｂの他端は、フィルタベント容器６に接続されている。排出配管２ｂの出口は、フィルタベント容器６内の液相部に開口している。排出配管２ｂには、隔離弁５が設けられている。
【０１１４】
次に、捕集装置６００を用いた有機よう素の捕集方法について具体的に説明する。
【０１１５】
捕集装置６００では、液体容器１に入れた不揮発性液体Ｌ１を、原子炉格納容器１０のウェットウェル１２内の熱によって加熱し、原子炉格納容器１０のウェットウェル１２内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で予熱されてからフィルタベント容器６に移送され、液体容器１からフィルタベント容器６にかけて有機よう素を分解する。
【０１１６】
原子炉の事故時に、原子炉格納容器１０内に高温・高圧の蒸気（ガス）が放出されると、原子炉格納容器１０内の温度・圧力が上昇する。液体容器１は、原子炉格納容器１０内のウェットウェル１２に設置されている。そのため、液体容器１に用意された不揮発性液体Ｌ１は、ウェットウェル１２内の熱によって加熱される。
【０１１７】
原子炉の事故時に、原子炉格納容器１０内に高温・高圧のガスが放出され、ウェットウェル１２内の圧力が設定圧力を超えると、圧力開放弁４が開く。圧力開放弁４が開くと、ウェットウェル１２内の高温・高圧のガスが、導入配管２ａを通って液体容器１に流入する。液体容器１に用意された不揮発性液体Ｌ１は、流入するガスとの接触によって更に加熱されると共に、ガス中の有機よう素との反応を開始する。
【０１１８】
原子炉格納容器１０内の圧力が高圧になり、ウェットウェル１２のベントが必要であると判断されると、隔離弁５が開放される。隔離弁５は、圧力開放弁４と同時に開放してもよいし、圧力開放弁４よりも後に開放してもよい。隔離弁５が開放されると、液体容器１に用意された不揮発性液体Ｌ１は、高温・高圧のガスに押され、有機よう素を分解しながら、排出配管２ｂを通ってフィルタベント容器６に送られる。
【０１１９】
フィルタベント容器６では、前記の捕集装置１００と同様に、ベントされたガスに含まれる放射性物質が、不揮発性液体Ｌ１や、スクラビング水Ｌ２や、金属フィルタ７によって捕集される。
【０１２０】
以上の捕集装置６００及び捕集方法によると、液体容器１が、原子炉格納容器１０内のウェットウェル１２に設置されており、不揮発性液体Ｌ１が、原子炉格納容器１０内のウェットウェル１２の熱によって加熱されるため、ベント時の不揮発性液体Ｌ１と有機よう素との反応速度を高くすることができる。不揮発性液体Ｌ１は、多量の有機よう素と接触する以前に予熱されるため、ベントの初期を含む広範な時期にわたって捕集効率を高くすることができる。よって、原子炉格納容器内の有機よう素を効率的に捕集可能な装置・方法を提供することができる。
【０１２１】
また、以上の捕集装置６００及び捕集方法によると、導入配管２ａの入口が、原子炉格納容器１０内のウェットウェル１２に開口しているため、ウェットウェル１２内の非凝縮性のガスをベントする際に、有機よう素の効率的な捕集を行うことができる。また、液体容器１がウェットウェル１２に設置されているため、ドライウェル１１に設置する場合と比較して、液体容器１や不揮発性液体Ｌ１が極端な高温に晒されるのを避けることができる。
【０１２２】
図７は、本発明に係る有機よう素捕集装置の一例を模式的に示す断面図である。
図７には、有機よう素を分解可能な不揮発性液体を入れた液体容器が、原子炉格納容器内のドライウェルに設置されており、不揮発性液体が、原子炉格納容器内の熱と、原子炉格納容器内の流体の反応熱と、によって加熱される捕集装置を示す。
【０１２３】
図７に示すように、本実施形態に係る捕集装置７００は、前記の捕集装置１００と同様に、原子炉格納容器１０と、フィルタベント装置２０と、に組み込まれている。捕集装置７００は、液体容器１と、上流側ベント配管（２ａ，２ｂ）と、圧力開放弁４と、隔離弁５と、フィルタベント容器６と、金属フィルタ７と、下流側ベント配管８と、排気筒９と、反応器１４と、を備えている。
【０１２４】
本実施形態に係る捕集装置７００が、前記の捕集装置１００と異なる点は、液体容器１の周囲に反応熱を発生する反応器１４を備えている点である。捕集装置７００の他の装置構成は、前記の捕集装置１００と略同様である。
【０１２５】
反応器１４は、原子炉格納容器１０内に放出された物質と反応する反応材を支持させた装置であり、原子炉格納容器１０内に放出されたガス（流体）を発熱反応させて反応熱を生じる装置が用いられる。反応材としては、発熱反応を生じる限り、原子炉格納容器１０内に放出された任意の物質と反応する物質を用いることができるが、特に、水素や水蒸気と反応して発熱する物質が好ましく用いられる。反応材としては、例えば、水素と酸素との反応により水を生成する水素再結合触媒や金属酸化物触媒、水素と窒素との反応によりアンモニアを生成するアンモニア合成触媒、水素吸蔵合金等を用いることができる。
【０１２６】
水素再結合触媒としては、例えば、パラジウム、白金等の金属を担体に添着させた触媒が挙げられる。金属酸化物触媒としては、例えば、リチウム、ナトリウム、マグネシウム、カルシウム、鉄、ニッケル、銅、ストロンチウム、銀、セリウム等の金属を含む触媒が挙げられる。アンモニア合成触媒としては、例えば、鉄、モリブデン、ルテニウム、オスミウム等を活性金属とする触媒が挙げられる。水素吸蔵合金としては、例えば、リチウム、マグネシウム、チタン、鉄、ニッケル、ランタン等を含む合金が挙げられる。
【０１２７】
捕集装置７００において、反応器１４としては、室内設置型の装置が液体容器１の側面を囲むように配置されている。但し、反応器１４は、室内設置型である限り、配置、設置数、形状、反応方式等が、特に制限されるものではない。液体容器１に入れた不揮発性液体Ｌ１は、反応器１４から液体容器１への熱伝導、発熱反応で加熱されたガスから液体容器１への熱伝達等、いずれを利用して加熱してもよい。
【０１２８】
室内設置型の反応器１４としては、例えば、円筒状の容器の内側に反応材を配置し、中央にガス通路を設けたチムニー型や、筒状の容器内に複数の反応材を間隔を空けて配置し、隣り合う反応材間にガス通路を設けた並列型等が挙げられる。反応材を内蔵した容器には、ガス通路の下側からガスが流入し、周囲の反応材に接触して発熱反応を生じる。発熱したガスは、ガス通路内に上向流を発生し、ガス通路の上側から排出される。
【０１２９】
反応器１４としては、交換容易なカートリッジ容器に反応材を充填するものが好ましく用いられる。液体容器１は、ジャケット式の熱交換器を備え、反応器１４のガス通路から排出されたガスを、液体容器１の周囲に設けた熱交換器に引き込む構造とすることもできる。液体容器１の周囲に反応器１４を設置する場合、反応器１４のガス通路にガスを送るために、ブロアを設置することが好ましい。
【０１３０】
次に、捕集装置７００を用いた有機よう素の捕集方法について具体的に説明する。
【０１３１】
捕集装置７００では、液体容器１に入れた不揮発性液体Ｌ１を、原子炉格納容器１０のドライウェル１１内の熱と、原子炉格納容器内の流体の反応熱と、によって加熱し、原子炉格納容器１０のドライウェル１１内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で予熱されてからフィルタベント容器６に移送され、液体容器１からフィルタベント容器６にかけて有機よう素を分解する。
【０１３２】
原子炉の事故時に、原子炉格納容器１０内に高温・高圧の蒸気（ガス）が放出されると、原子炉格納容器１０内の温度・圧力が上昇する。液体容器１は、原子炉格納容器１０内のドライウェル１１に設置されている。そのため、液体容器１に用意された不揮発性液体Ｌ１は、ドライウェル１１内の熱によって加熱される。
【０１３３】
原子炉の事故時に、炉心が高温になると、冷却材である水と燃料棒被覆管のジルコニウム等とが反応して、多量の水素が発生する。原子炉格納容器１０内に放出された水素や水蒸気は、反応器１４の所定の反応材と接触して発熱反応を生じるため、液体容器１の不揮発性液体Ｌ１は、より高温に加熱される。
【０１３４】
原子炉の事故時に、原子炉格納容器１０内に高温・高圧のガスが放出され、ドライウェル１１内の圧力が設定圧力を超えると、圧力開放弁４が開く。圧力開放弁４が開くと、ドライウェル１１内の高温・高圧のガスが、導入配管２ａを通って液体容器１に流入する。液体容器１に用意された不揮発性液体Ｌ１は、流入するガスとの接触によって更に加熱されると共に、ガス中の有機よう素との反応を開始する。
【０１３５】
原子炉格納容器１０内の圧力が高圧になり、ドライウェル１１のベントが必要であると判断されると、隔離弁５が開放される。隔離弁５は、圧力開放弁４と同時に開放してもよいし、圧力開放弁４よりも後に開放してもよい。隔離弁５が開放されると、液体容器１に用意された不揮発性液体Ｌ１は、高温・高圧のガスに押され、有機よう素を分解しながら、排出配管２ｂを通ってフィルタベント容器６に送られる。
【０１３６】
フィルタベント容器６では、前記の捕集装置１００と同様に、ベントされたガスに含まれる放射性物質が、不揮発性液体Ｌ１や、スクラビング水Ｌ２や、金属フィルタ７によって捕集される。
【０１３７】
以上の捕集装置７００及び捕集方法によると、液体容器１が、原子炉格納容器１０内のドライウェル１１に設置されており、不揮発性液体Ｌ１が、原子炉格納容器１０内のドライウェル１１の熱と、原子炉格納容器１０内の流体の反応熱と、によって加熱されるため、ベント時の不揮発性液体Ｌ１と有機よう素との反応速度を更に高くすることができる。不揮発性液体Ｌ１は、多量の有機よう素と接触する以前に予熱されるため、ベントの初期を含む広範な時期にわたって捕集効率を高くすることができる。よって、原子炉格納容器内の有機よう素を効率的に捕集可能な装置・方法を提供することができる。
【０１３８】
また、以上の捕集装置７００及び捕集方法によると、反応熱を生じる反応器１４を液体容器１の周囲に備えるため、不揮発性液体Ｌ１を反応熱で予熱するにあたって、反応器１４の設置の自由度や、反応器１４中における反応材の充填状態の自由度が高くなる。反応器１４を液体容器１の周囲に配置し、導入配管２ａの入口付近を開放空間とすると、ベントされるガスに大きな通流抵抗が及ぶのを避けることができる。
【０１３９】
図８は、本発明に係る有機よう素捕集装置の一例を模式的に示す断面図である。
図８には、有機よう素を分解可能な不揮発性液体を入れた液体容器が、原子炉格納容器内のドライウェルに設置されており、不揮発性液体が、原子炉格納容器内の熱と、原子炉格納容器内の流体の反応熱と、によって加熱される捕集装置を示す。
【０１４０】
図８に示すように、本実施形態に係る捕集装置８００は、前記の捕集装置７００と同様に、原子炉格納容器１０と、フィルタベント装置２０と、に組み込まれている。捕集装置８００は、液体容器１と、上流側ベント配管（２ａ，２ｂ）と、圧力開放弁４と、隔離弁５と、フィルタベント容器６と、金属フィルタ７と、下流側ベント配管８と、排気筒９と、反応器１４と、を備えている。
【０１４１】
本実施形態に係る捕集装置８００が、前記の捕集装置７００と異なる点は、導入配管２ａの途中に反応熱を発生する反応器１４を備えている点である。捕集装置８００の他の装置構成は、前記の捕集装置７００と略同様である。
【０１４２】
捕集装置８００において、反応器１４としては、インライン型の装置が導入配管２ａの途中に連結されている。但し、反応器１４は、インライン型である限り、配置、連結数、形状、反応方式等が、特に制限されるものではない。液体容器１に入れた不揮発性液体Ｌ１は、反応器１４から液体容器１への熱伝導、反応器１４における発熱反応で加熱されたガスからの熱伝達等、いずれを利用して加熱してもよい。
【０１４３】
インライン型の反応器１４としては、例えば、筒状の容器内にバルク状の反応材を充填した反応器や、筒状の容器内に反応材を充填したカートリッジを内蔵した反応器や、筒状の容器内に成形された反応材を積層・配置した反応器等が挙げられる。筒状の容器には、ガス通路の一端側からガスが流入し、周囲の反応材に接触して発熱反応を生じる。発熱したガスは、ガス通路の他端側から排出される。インライン型の反応器１４は、複数個を並列化させて液体容器１に連結することもできる。
【０１４４】
次に、捕集装置８００を用いた有機よう素の捕集方法について具体的に説明する。
【０１４５】
捕集装置８００では、液体容器１に入れた不揮発性液体Ｌ１を、原子炉格納容器１０のドライウェル１１内の熱と、原子炉格納容器内の流体の反応熱と、によって加熱し、原子炉格納容器１０のドライウェル１１内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で予熱されてからフィルタベント容器６に移送され、液体容器１からフィルタベント容器６にかけて反応熱で更に加熱されながら有機よう素を分解する。
【０１４６】
原子炉の事故時に、原子炉格納容器１０内に高温・高圧の蒸気（ガス）が放出されると、原子炉格納容器１０内の温度・圧力が上昇する。液体容器１は、原子炉格納容器１０内のドライウェル１１に設置されている。そのため、液体容器１に用意された不揮発性液体Ｌ１は、ドライウェル１１内の熱によって加熱される。
【０１４７】
原子炉の事故時に、炉心が高温になると、冷却材である水と燃料棒被覆管のジルコニウム等とが反応して、多量の水素が発生する。また、原子炉格納容器１０内に高温・高圧のガスが放出され、ドライウェル１１内の圧力が設定圧力を超えると、圧力開放弁４が開く。圧力開放弁４が開くと、ドライウェル１１内の水素や水蒸気を含むガスが、導入配管２ａを通って反応器１４に流入する。水素や水蒸気は、反応器１４の所定の反応材と接触して発熱反応を生じるため、反応器１４に流入したガスは、より高温になって液体容器１に流入する。液体容器１に用意された不揮発性液体Ｌ１は、このようなガスによって更に加熱されると共に、ガス中の有機よう素との反応を開始する。
【０１４８】
原子炉格納容器１０内の圧力が高圧になり、原子炉の事故時に、ドライウェル１１のベントが必要であると判断されると、隔離弁５が開放される。隔離弁５は、圧力開放弁４と同時に開放してもよいし、圧力開放弁４よりも後に開放してもよい。隔離弁５が開放されると、液体容器１に用意された不揮発性液体Ｌ１は、高温・高圧のガスに押され、有機よう素を分解しながら、排出配管２ｂを通ってフィルタベント容器６に送られる。
【０１４９】
フィルタベント容器６では、前記の捕集装置７００と同様に、ベントされたガスに含まれる放射性物質が、不揮発性液体Ｌ１や、スクラビング水Ｌ２や、金属フィルタ７によって捕集される。
【０１５０】
以上の捕集装置８００及び捕集方法によると、液体容器１が、原子炉格納容器１０内のドライウェル１１に設置されており、不揮発性液体Ｌ１が、原子炉格納容器１０内のドライウェル１１の熱と、原子炉格納容器１０内の流体の反応熱と、によって加熱されるため、ベント時の不揮発性液体Ｌ１と有機よう素との反応速度を更に高くすることができる。不揮発性液体Ｌ１は、多量の有機よう素と接触する以前に予熱されるため、ベントの初期を含む広範な時期にわたって捕集効率を高くすることができる。よって、原子炉格納容器内の有機よう素を効率的に捕集可能な装置・方法を提供することができる。
【０１５１】
また、以上の捕集装置８００及び捕集方法によると、反応熱を生じる反応器１４を導入配管２ａの途中に備えるため、発熱反応を生じる原子炉格納容器１０内の物質を、原子炉格納容器１０の内外の圧力差によって、反応器１４に流入させることができる。ガスを送るためのブロア等を設置する必要がないため、電源喪失時であっても、高い捕集効率を得ることができる。
【０１５２】
図９は、本発明に係る有機よう素捕集装置の一例を模式的に示す断面図である。
図９には、有機よう素を分解可能な不揮発性液体を入れた液体容器が、原子炉格納容器内のドライウェルに設置されており、不揮発性液体が、原子炉格納容器内の熱によって加熱される捕集装置を示す。
【０１５３】
図９に示すように、本実施形態に係る捕集装置９００は、前記の捕集装置１００と同様に、原子炉格納容器１０と、フィルタベント装置２０と、に組み込まれている。捕集装置９００は、液体容器１と、上流側ベント配管（２ｃ，２ｄ，２ｅ）と、隔離弁５と、フィルタベント容器６と、金属フィルタ７と、下流側ベント配管８と、排気筒９と、ガス注入装置１５と、ガス注入配管１６と、液体注入配管１７と、を備えている。
【０１５４】
本実施形態に係る捕集装置９００が、前記の捕集装置１００と異なる点は、ガス注入装置１５が液体容器１に接続している点と、上流側ベント配管（２ｃ，２ｄ，２ｅ）に関わる配管系統にある。捕集装置９００の他の装置構成は、前記の捕集装置１００と略同様である。
【０１５５】
捕集装置９００において、ドライウェル１１には、ドライウェル１１内のガスをベントするためのドライベント配管２ｃが接続されている。ドライベント配管２ｃには、隔離弁５が設けられている。また、ウェットウェル１２には、ウェットウェル１２内のガスをベントするためのウェットベント配管２ｄが接続されている。ウェットベント配管２ｄには、隔離弁５が設けられている。
【０１５６】
ドライベント配管２ｃとウェットベント配管２ｄとは、下流に連結された入口配管２ｅに合流しており、入口配管２ｅの他端は、フィルタベント容器６に接続されている。上流側ベント配管（２ｃ，２ｄ，２ｅ）は、原子炉格納容器１０内のガス（流体）をベントするための配管であり、有機よう素を含むガス（流体）を、フィルタベント容器６に注入された不揮発性液体Ｌ１に導入するために用いられる。
【０１５７】
液体容器１は、原子炉格納容器１０のドライウェル１１内に設置されている。液体容器１の入口側には、ガス注入装置１５が、ガス注入配管１６を介して接続されている。ガス注入装置１５は、原子炉格納容器１０外に設置されている。ガス注入配管１６の出口は、液体容器１内の上部に開口している。
【０１５８】
液体容器１の出口側には、液体注入配管１７が接続されている。液体注入配管１７の入口は、液体容器１内の下部に開口している。また、液体注入配管１７の他端は、フィルタベント容器６に接続されている。液体注入配管１７の出口は、フィルタベント容器６内の液相部に開口している。液体注入配管１７は、液体容器１に用意された不揮発性液体Ｌ１をフィルタベント容器６に注入するために用いられる。液体注入配管１７には、隔離弁５が設けられている。
【０１５９】
ガス注入装置１５は、加圧されたガスを液体容器１内に注入するための装置である。ガス注入配管１６は、加圧されたガスをガス注入装置１５から液体容器１に送るために用いられる。加圧されたガスを液体容器１内に注入することにより、液体容器１に用意された不揮発性液体Ｌ１をフィルタベント容器６に強制的に注入することができる。
【０１６０】
注入するガスとしては、例えば、窒素ガス、アルゴンガス等の不活性ガスや、乾燥空気等が挙げられる。注入するガスとしては、不揮発性液体Ｌ１の酸化劣化や加水分解を避ける観点からは、不活性ガスを用いることが好ましい。
【０１６１】
次に、捕集装置９００を用いた有機よう素の捕集方法について具体的に説明する。
【０１６２】
捕集装置９００では、液体容器１に入れた不揮発性液体Ｌ１を、原子炉格納容器１０のドライウェル１１内の熱によって加熱し、原子炉格納容器１０のドライウェル１１内、及び、ウェットウェル１２内のうち、少なくとも一方の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で予熱されてからフィルタベント容器６に移送され、フィルタベント容器６において有機よう素を分解する。
【０１６３】
原子炉の事故時に、原子炉格納容器１０内に高温・高圧の蒸気（ガス）が放出されると、原子炉格納容器１０内の温度・圧力が上昇する。液体容器１は、原子炉格納容器１０内のドライウェル１１に設置されている。そのため、液体容器１に用意された不揮発性液体Ｌ１は、ドライウェル１１内の熱によって加熱される。
【０１６４】
原子炉格納容器１０内の圧力が高圧になり、ドライウェル１１やウェットウェル１２のベントが必要であると判断されると、液体注入配管１７の隔離弁５が開放される。また、ガス注入装置１５によって、ガスの圧送が開始される。液体注入配管１７の隔離弁５が開放されると、液体容器１に用意された不揮発性液体Ｌ１は、ガス注入装置１５から注入されるガスに押され、ガス注入装置１５で加圧されたガスの圧力で液体注入配管１７を通ってフィルタベント容器６に送られる。
【０１６５】
また、原子炉の事故時に、ドライウェル１１やウェットウェル１２のベントが必要であると判断されると、ドライベント配管２ｃの隔離弁５や、ウェットベント配管２ｄの隔離弁５の少なくとも一方が開放される。これらの隔離弁５は、液体注入配管１７の隔離弁５と同時に開放してもよいし、液体注入配管１７の隔離弁５よりも後に開放してもよい。隔離弁５が開放されると、ドライウェル１１内の高温・高圧のガスや、ウェットウェル１２内の高温・高圧のガスが、上流側ベント配管（２ｃ，２ｄ，２ｅ）を通ってフィルタベント容器６に送られる。
【０１６６】
フィルタベント容器６では、前記の捕集装置１００と同様に、ベントされたガスに含まれる放射性物質が、不揮発性液体Ｌ１や、スクラビング水Ｌ２や、金属フィルタ７によって捕集される。
【０１６７】
なお、図９において、液体容器１、ガス注入装置１５、ガス注入配管１６、及び、液体注入配管１７によって構成される系統としては、一系統のみが備えられているが、このような系統は、複数備えることもできる。例えば、一部の系統を、原子炉の事故の発生時に使用し、残りの系統を、フィルタベント容器６内の温度が下がり易い事故の収束時に使用することもできる。
【０１６８】
以上の捕集装置９００及び捕集方法によると、液体容器１が、原子炉格納容器１０内のドライウェル１１に設置されており、不揮発性液体Ｌ１が、原子炉格納容器１０内のドライウェル１１の熱によって加熱されるため、ベント時の不揮発性液体Ｌ１と有機よう素との反応速度を高くすることができる。不揮発性液体Ｌ１は、多量の有機よう素と接触する以前に予熱されるため、ベントの初期を含む広範な時期にわたって捕集効率を高くすることができる。よって、原子炉格納容器内の有機よう素を効率的に捕集可能な装置・方法を提供することができる。
【０１６９】
また、以上の捕集装置９００及び捕集方法によると、原子炉格納容器１０内のガスが、液体容器１を通らず、上流側ベント配管（２ｃ，２ｄ，２ｅ）のみを通って、フィルタベント容器６に送られるため、ベントされるガスに大きな通流抵抗が及ぶのを避けることができる。また、ガス注入装置１５が備えられるため、原子炉格納容器１０の内外の圧力差を利用しなくとも、不揮発性液体Ｌ１をフィルタベント容器６に強制的に注入することが可能であり、利用する不揮発性液体Ｌ１の水頭の自由度を高くすることができる。
【０１７０】
図１０は、本発明に係る有機よう素捕集装置の一例を模式的に示す断面図である。
図１０には、有機よう素を分解可能な不揮発性液体を入れた液体容器が、原子炉格納容器外に設置されており、不揮発性液体が、原子炉格納容器内の流体の反応熱によって加熱される捕集装置を示す。
【０１７１】
図１０に示すように、本実施形態に係る捕集装置１０００は、フィルタベント装置２０に組み込まれている。捕集装置１０００は、前記の捕集装置８００と同様に、上流側ベント配管（２ｃ，２ｄ，２ｅ）と、隔離弁５と、フィルタベント容器６と、金属フィルタ７と、下流側ベント配管８と、排気筒９と、反応器１４と、を備えている。
【０１７２】
本実施形態に係る捕集装置１０００が、前記の捕集装置８００と異なる点は、液体容器１が備えられてなく、不揮発性液体Ｌ１がフィルタベント容器６に用意されており、ベント配管（２ｃ，２ｄ，２ｅ）の途中に反応熱を発生する反応器１４を備えている点である。捕集装置１０００の他の装置構成は、前記の捕集装置８００と略同様である。
【０１７３】
捕集装置１０００において、ドライウェル１１には、ドライウェル１１内のガスをベントするためのドライベント配管２ｃが接続されている。ドライベント配管２ｃには、隔離弁５が設けられている。また、ウェットウェル１２には、ウェットウェル１２内のガスをベントするためのウェットベント配管２ｄが接続されている。ウェットベント配管２ｄには、隔離弁５が設けられている。
【０１７４】
ドライベント配管２ｃとウェットベント配管２ｄとは、下流に連結された入口配管２ｅに合流しており、入口配管２ｅの他端は、フィルタベント容器６に接続されている。上流側ベント配管（２ｃ，２ｄ，２ｅ）は、原子炉格納容器１０内のガス（流体）をベントするための配管であり、有機よう素を含むガス（流体）を、フィルタベント容器６に用意された不揮発性液体Ｌ１に導入するために用いられる。
【０１７５】
フィルタベント容器６には、不揮発性液体Ｌ１と、スクラビング水Ｌ２と、が用意される。不揮発性液体Ｌ１としては、スクラビング水Ｌ２よりも比重が小さい液体が好ましく用いられる。このような液体であると、不揮発性液体Ｌ１がスクラビング水Ｌ２から相分離して上層を形成するため、有機よう素や二次的に生成した元素状よう素の揮発を、上層の不揮発性液体Ｌ１で確実に阻止することができる。入口配管２ｅの出口には、例えば、多連のベンチュリノズル等で形成される不図示のスクラバノズルを取り付けることができる。
【０１７６】
捕集装置１０００において、反応器１４としては、インライン型の装置が入口配管２ｅの途中に連結されている。但し、反応器１４は、インライン型である限り、配置、連結数、形状、反応方式等が、特に制限されるものではない。フィルタベント容器６に入れた不揮発性液体Ｌ１は、反応器１４からの熱伝導、反応器１４における発熱反応で加熱されたガスからの熱伝達等、いずれを利用して加熱してもよい。
【０１７７】
インライン型の反応器１４としては、前記の捕集装置８００と同様に、筒状の容器内にバルク状の反応材を充填した反応器や、筒状の容器内に反応材を充填したカートリッジを内蔵した反応器や、筒状の容器内に成形された反応材を積層・配置した反応器等を用いることができる。インライン型の反応器１４は、複数個を並列化させてフィルタベント容器６に取り付けることもできる。また、フィルタベント容器６内の液相部に接する位置や液相部に没する位置に配置することもできる。
【０１７８】
次に、捕集装置１０００を用いた有機よう素の捕集方法について具体的に説明する。
【０１７９】
捕集装置１０００では、フィルタベント容器６に入れた不揮発性液体Ｌ１を、原子炉格納容器内の流体の反応熱によって加熱し、原子炉格納容器１０のドライウェル１１内、及び、ウェットウェル１２内のうち、少なくとも一方の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、フィルタベント容器６内で加熱されながら有機よう素を分解する。
【０１８０】
原子炉の事故時に、原子炉格納容器１０内に高温・高圧の蒸気（ガス）が放出されると、原子炉格納容器１０内の温度・圧力が上昇する。炉心が高温になると、冷却材である水と燃料棒被覆管のジルコニウム等とが反応して、多量の水素が発生する。
【０１８１】
原子炉格納容器１０内の圧力が高圧になり、ドライウェル１１やウェットウェル１２のベントが必要であると判断されると、ドライベント配管２ｃの隔離弁５や、ウェットベント配管２ｄの隔離弁５の少なくとも一方が開放される。隔離弁５が開放されると、ドライウェル１１内の水素や水蒸気を含むガスや、ウェットウェル１２内の水素や水蒸気を含むガスが、上流側ベント配管（２ｃ，２ｄ，２ｅ）を通って反応器１４に流入する。水素や水蒸気は、反応器１４に充填された所定の反応材と接触すると発熱反応を生じるため、反応器１４に流入したガスは、より高温になってフィルタベント容器６に流入する。フィルタベント容器６に用意された不揮発性液体Ｌ１は、このようなガスによって更に加熱されると共に、ガス中の有機よう素との反応を開始する。
【０１８２】
フィルタベント容器６では、ベントされたガスに含まれる有機よう素が、不揮発性液体Ｌ１と反応して、よう素イオンと有機物とに分解される。また、解離したよう素イオンや、ベントされたガスに含まれるエアロゾル、無機よう素等が、不揮発性液体Ｌ１やスクラビング水Ｌ２に溶解・凝集して捕集される。液相に捕集されず気相に放出されたエアロゾルは、金属フィルタ７に捕集される。その後、放射性物質が除去されたガスは、排気筒９を通じて環境中に放出される。
【０１８３】
以上の捕集装置１０００及び捕集方法によると、不揮発性液体Ｌ１が、原子炉格納容器１０内の流体の反応熱によって加熱されるため、ベント時の不揮発性液体Ｌ１と有機よう素との反応速度を高くすることができる。不揮発性液体Ｌ１は、多量の有機よう素と接触する以前に反応熱によって予熱することができるし、原子炉格納容器１０内の温度が十分に高くなくとも、水素濃度や水蒸気濃度が高い場合に高温に加熱することができるため、ベントの初期を含む広範な時期にわたって捕集効率を高くすることができる。よって、原子炉格納容器内の有機よう素を効率的に捕集可能な装置・方法を提供することができる。
【０１８４】
また、以上の捕集装置１０００及び捕集方法によると、反応熱を生じる反応器１４を入口配管２ｅの途中に備えるため、発熱反応を生じる原子炉格納容器１０内の物質を、原子炉格納容器１０の内外の圧力差によって、反応器１４に流入させることができる。ガスを送るためのブロア等を設置する必要がないため、電源喪失時であっても、高い捕集効率を得ることができる。また、液体容器１が必要ないため、原子炉格納容器１０の内外に液体容器１の設置場所を設けなくとも、不揮発性液体Ｌ１と有機よう素との反応速度を高くすることができる。
【０１８５】
図１１は、本発明に係る有機よう素捕集装置の一例を模式的に示す断面図である。
図１１には、有機よう素を分解可能な不揮発性液体を入れた液体容器が、原子炉格納容器内のドライウェルに設置されており、不揮発性液体が、原子炉格納容器内の熱によって加熱される捕集装置を示す。
【０１８６】
図１１に示すように、本実施形態に係る捕集装置１１００は、前記の捕集装置２００と同様に、原子炉格納容器１０と、フィルタベント装置２０と、に組み込まれている。捕集装置１１００は、液体容器１と、上流側ベント配管（２ａ，２ｂ）と、圧力開放弁４と、隔離弁５と、フィルタベント容器６と、金属フィルタ７と、下流側ベント配管８と、排気筒９と、を備えている。
【０１８７】
本実施形態に係る捕集装置１１００が、前記の捕集装置２００と異なる点は、液体容器１の周囲に設置されたヒータ１８と、ヒータ１８に接続された非常用電源１９と、を備えている点である。捕集装置１１００の他の装置構成は、前記の捕集装置２００と略同様である。
【０１８８】
ヒータ１８は、非常用電源１９によって駆動されて熱を発生する装置であり、原子炉格納容器１０内の熱によって加熱される不揮発性液体Ｌ１を更に加熱するために備えられる。ヒータ１８は、出力が一定に制御されてもよいし、出力が可変的に制御されてもよい。ヒータ１８は、例えば、不揮発性液体Ｌ１が所定温度以上に保たれるように制御することができる。
【０１８９】
ヒータ１８としては、ハロゲンヒータ等の赤熱放射ヒータや、セラミックヒータ、石英ヒータ等のパネルヒータや、オイルヒータ等の液体充填放熱ヒータや、電気ファンヒータ等のファンヒータや、エアーコンディショナ、ダクトヒータ等の対流ヒータ等、各種の加熱装置を用いることができる。
【０１９０】
捕集装置１１００において、ヒータ１８としては、室内設置型の装置が液体容器１の側面を囲むように配置されている。但し、ヒータ１８は、室内設置型である限り、配置、設置数、形状、発熱方式等が、特に制限されるものではない。液体容器１に入れた不揮発性液体Ｌ１は、ヒータ１８から液体容器１への熱伝導、ヒータ１８で加熱されたガスから液体容器１への熱伝達等、いずれを利用して加熱してもよい。
【０１９１】
非常用電源１９は、原子炉の事故時においても作動可能な電源であり、電源喪失時等にヒータ１８に給電するために用いられる。非常用電源１９としては、ディーゼル発電機、ガスタービン発電機、蓄電池等の各種の電源を用いることができる。非常用電源１９は、ヒータ１８に常時接続される定置電源であってもよいし、非常時に接続される電源車等の移動電源であってもよい。
【０１９２】
次に、捕集装置１１００を用いた有機よう素の捕集方法について具体的に説明する。
【０１９３】
捕集装置１１００では、液体容器１に入れた不揮発性液体Ｌ１を、原子炉格納容器１０のドライウェル１１内の熱と、ヒータ１８が発生した熱と、によって加熱し、原子炉格納容器１０のドライウェル１１内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、液体容器１内で加熱されながら有機よう素を分解する。
【０１９４】
原子炉の事故時に、原子炉格納容器１０内に高温・高圧の蒸気（ガス）が放出されると、原子炉格納容器１０内の温度・圧力が上昇する。液体容器１は、原子炉格納容器１０内のドライウェル１１に設置されている。そのため、液体容器１に用意された不揮発性液体Ｌ１は、ドライウェル１１内の熱によって加熱される。
【０１９５】
原子炉の事故時に、原子炉格納容器１０内に高温・高圧のガスが放出され、ドライウェル１１内の圧力が設定圧力を超えると、圧力開放弁４が開く。圧力開放弁４が開くと、ドライウェル１１内の高温・高圧のガスが、導入配管２ａを通って液体容器１に流入する。液体容器１に用意された不揮発性液体Ｌ１は、流入するガスとの接触によって更に加熱されると共に、ガス中の有機よう素との反応を開始する。
【０１９６】
原子炉格納容器１０内の圧力が高圧になり、ドライウェル１１のベントが必要であると判断されると、ヒータ１８が起動される。ヒータ１８は、圧力開放弁４の開放と同時に起動してもよいし、圧力開放弁４の開放よりも前に起動してもよいし、圧力開放弁４の開放よりも後に起動してもよい。ヒータ１８が起動されると、液体容器１に用意された不揮発性液体Ｌ１は、ドライウェル１１内の温度よりも高温になるように、更に加熱される。
【０１９７】
液体容器１では、ベントされたガスに含まれる有機よう素が、不揮発性液体Ｌ１と反応して、よう素イオンと有機物とに分解される。また、解離したよう素イオンや、ベントされたガスに含まれるエアロゾル、無機よう素等が、不揮発性液体Ｌ１に溶解して捕集される。ヒータ１８による不揮発性液体Ｌ１の加熱は、ベントされたガスが液体容器１に流入する間、連続的に行ってもよいし、間欠的に行ってもよい。
【０１９８】
また、原子炉格納容器１０内の圧力が高圧になり、ドライウェル１１や液体容器１のベントが必要であると判断されると、隔離弁５が開放される。隔離弁５は、ヒータ１８の起動と同時に開放してもよいし、ヒータ１８の起動よりも後に開放してもよい。隔離弁５が開放されると、液体容器１内の液相に捕集されず気相に放出された放射性物質は、排出配管２ｂを通じてフィルタベント容器６に送られる。
【０１９９】
フィルタベント容器６では、ベントされたガスに残留している放射性物質が、スクラビング水Ｌ２中に溶解・凝集して捕集される。液相に捕集されず気相に放出されたエアロゾルは、金属フィルタ７に捕集される。その後、放射性物質が除去されたガスは、排気筒９を通じて環境中に放出される。
【０２００】
以上の捕集装置１１００及び捕集方法によると、液体容器１が、原子炉格納容器１０内のドライウェル１１に設置されており、不揮発性液体Ｌ１が、原子炉格納容器１０内のドライウェル１１の熱と、ヒータ１８と、によって加熱されるため、ベント時の不揮発性液体Ｌ１と有機よう素との反応速度を高くすることができる。不揮発性液体Ｌ１は、多量の有機よう素と接触する以前に予熱され、反応中にも加熱されるため、ベントの初期を含む広範な時期にわたって捕集効率を高くすることができる。よって、原子炉格納容器内の有機よう素を効率的に捕集可能な装置・方法を提供することができる。
【０２０１】
また、以上の捕集装置１１００及び捕集方法によると、非常用電源１９に接続されるヒータ１８を液体容器１の周囲に備えるため、原子炉格納容器１０内の温度が十分に高くなくとも、不揮発性液体Ｌ１を、高い反応速度が得られる温度まで確実に予熱することができる。ヒータ１８は、電源喪失時や、原子炉格納容器１０内の温度が低くなる事故の収束時であっても、不揮発性液体Ｌ１を加熱することができるため、より広範な時期にわたって捕集効率を維持することができる。
【０２０２】
図１２は、本発明に係る有機よう素捕集装置の一例を模式的に示す断面図である。
図１２には、有機よう素を分解可能な不揮発性液体を入れた液体容器が、原子炉格納容器外に設置されており、不揮発性液体が、原子炉格納容器内の熱によって加熱される捕集装置を示す。
【０２０３】
図１２に示すように、本実施形態に係る捕集装置１２００は、前記の捕集装置３００と同様に、原子炉格納容器１０と、フィルタベント装置２０と、に組み込まれている。捕集装置１２００は、液体容器１と、上流側ベント配管（導入配管）２ｆと、隔離弁５と、フィルタベント容器６と、金属フィルタ７と、下流側ベント配管８と、排気筒９と、循環配管１３と、を備えている。
【０２０４】
本実施形態に係る捕集装置１２００が、前記の捕集装置３００と異なる点は、液体容器１が備えられてなく、不揮発性液体Ｌ１がフィルタベント容器６に用意されている点である。捕集装置１２００の他の装置構成は、前記の捕集装置３００と略同様である。
【０２０５】
捕集装置１２００において、ドライウェル１１には、ドライウェル１１内のガスをベントするための上流側ベント配管２ｆが接続している。上流側ベント配管２ｆの他端は、フィルタベント容器６に接続されている。上流側ベント配管２ｆの出口は、フィルタベント容器６内の液相部に開口している。
【０２０６】
上流側ベント配管２ｆは、原子炉格納容器１０内の有機よう素を含むガス（流体）を不揮発性液体Ｌ１に導入するために用いられる。上流側ベント配管２ｆには、隔離弁５が設けられている。
【０２０７】
フィルタベント容器６には、不揮発性液体Ｌ１が用意される。上流側ベント配管２ｆの出口には、例えば、多連のベンチュリノズル等で形成される不図示のスクラバノズルを取り付けることができる。また、液体中に噴出させた高温・高圧のガスに対して抵抗を及ぼすバッフルを設けることもできる。
【０２０８】
循環配管１３は、前記の捕集装置３００の液体容器１と同様に、フィルタベント容器６から原子炉格納容器１０のドライウェル１１内を通ってフィルタベント容器６に戻る閉環状の流路を形成している。循環配管１３の一端は、フィルタベント容器６の下部に接続しており、他端は、それよりも上部側に接続している。循環配管１３の中間部は、ドライウェル１１内にあり、管路が鉛直方向に沿うように縦向きに敷設されている。
【０２０９】
次に、捕集装置１２００を用いた有機よう素の捕集方法について具体的に説明する。
【０２１０】
捕集装置１２００では、フィルタベント容器６に入れた不揮発性液体Ｌ１を、原子炉格納容器１０のドライウェル１１内の熱によって加熱し、原子炉格納容器１０のドライウェル１１内の有機よう素を含むガス（流体）を、加熱された不揮発性液体Ｌ１に通し、ガスに含まれている有機よう素を不揮発性液体Ｌ１に分解させて捕集する。不揮発性液体Ｌ１は、フィルタベント容器６内で加熱されながら有機よう素を分解する。
【０２１１】
原子炉の事故時に、原子炉格納容器１０内に高温・高圧の蒸気（ガス）が放出されると、原子炉格納容器１０内の温度・圧力が上昇する。液体容器１は、原子炉格納容器１０外に設置されているが、原子炉格納容器１０内を通る循環配管１３内の不揮発性液体Ｌ１が加熱される。そのため、不揮発性液体Ｌ１は、液体容器１内と原子炉格納容器１０内との間を循環配管１３を通じて自然循環しながら、原子炉格納容器１０内の熱によって加熱される。
【０２１２】
原子炉格納容器１０内の圧力が高圧になり、ドライウェル１１のベントが必要であると判断されると、隔離弁５が開放される。隔離弁５が開放されると、ドライウェル１１内の高温・高圧のガスが、上流側ベント配管２ｆを通ってフィルタベント容器６に流入する。フィルタベント容器６に用意された不揮発性液体Ｌ１は、流入するガスとの接触によって更に加熱されると共に、ガス中の有機よう素との反応を開始する。
【０２１３】
フィルタベント容器６では、ベントされたガスに含まれる有機よう素が、不揮発性液体Ｌ１と反応して、よう素イオンと有機物とに分解される。また、解離したよう素イオンや、ベントされたガスに含まれるエアロゾル、無機よう素等が、不揮発性液体Ｌ１に溶解・凝集して捕集される。液相に捕集されず気相に放出されたエアロゾルは、金属フィルタ７に捕集される。その後、放射性物質が除去されたガスは、排気筒９を通じて環境中に放出される。
【０２１４】
以上の捕集装置１２００及び捕集方法によると、液体容器１が、原子炉格納容器１０外に設置されているが、不揮発性液体Ｌ１が、循環配管１３を通じて原子炉格納容器１０内の熱によって加熱されるため、原子炉格納容器１０内に液体容器１の設置場所を設けなくとも、ベント時の不揮発性液体Ｌ１と有機よう素との反応速度を高くすることができる。不揮発性液体Ｌ１は、多量の有機よう素と接触する以前に予熱され、反応中にも加熱されるため、ベントの初期を含む広範な時期にわたって捕集効率を高くすることができる。よって、原子炉格納容器内の有機よう素を効率的に捕集可能な装置・方法を提供することができる。
【０２１５】
また、以上の捕集装置１２００及び捕集方法によると、フィルタベント容器６内の不揮発性液体Ｌ１は、自然循環によって全体的に加熱されるため、ポンプ等で強制循環させる必要がなく、電源喪失時であっても高い捕集効率を得ることができる。また、自然循環によって攪拌されるため、不揮発性液体Ｌ１と有機よう素とを効率的に反応させることができる。
【０２１６】
以上、本発明に係る有機よう素捕集装置、及び、有機よう素捕集方法の実施形態について説明したが、本発明は前記の実施形態に限定されるものではなく、技術的範囲を逸脱しない限り、様々な変形例が含まれる。例えば、前記の実施形態は、必ずしも説明した全ての構成を備えるものに限定されない。また、或る実施形態の構成の一部を他の構成に置き換えたり、或る実施形態の構成に他の構成を加えたりすることが可能である。また、或る実施形態の構成の一部について、他の構成の追加、構成の削除、構成の置換をすることも可能である。
【０２１７】
例えば、前記の各捕集装置や捕集方法は、ドライベント及びウェットベントのいずれに適用してもよい。前記の捕集装置１００，２００，８００，９００，１１００において、液体容器１と排出配管の系統を、ウェットウェル１２側に移して装置を構成することもできる。また、前記の捕集装置２００，７００，８００，１１００，１２００をウェットウェル１２のベントに適用することもできる。
【０２１８】
また、前記の各捕集装置において、一つの液体容器１やフィルタベント容器６に、複数種類の機構を組み込むこともできる。例えば、捕集装置３００，５００の循環配管１３付きの液体容器１、捕集装置１２００の循環配管１３付きのフィルタベント容器６、捕集装置７００の室内設置型の反応器１４、捕集装置８００のインライン型の反応器１４、捕集装置９００のガス注入装置１５、及び、捕集装置１１００のヒータ１８のうち、少なくとも一つ以上の機構を、一つの液体容器１に組み込んでもよい。
【０２１９】
また、前記の各捕集装置において、液体容器１や導入配管及び排出配管の系統を、複数系列備えることもできる。複数の系列は、互いに同一の機構となるように構成してもよいし、互いに異なる機構となるように構成してもよい。
【０２２０】
例えば、室内設置型の反応器１４とガス注入装置１５とを備えた第１液体容器１と、インライン型の反応器１４とヒータ１８とを備えた第２液体容器１とを、ドライウェル１１に設置することもできる。第２液体容器１によると、反応熱の不足をヒータ１８で補いつつ、予熱した不揮発性液体Ｌ１を用いることができる。また、第１液体容器１によると、反応熱を利用して予熱した不揮発性液体Ｌ１をガス注入装置１５で必要な時期に注入することができる。
【０２２１】
また、例えば、ヒータ１８を備えた第１液体容器１と、室内設置型の反応器１４とインライン型の反応器１４とを備えた第２液体容器１とを、ドライウェル１１に設置することもできる。第２液体容器１によると、反応熱を最大限利用して不揮発性液体Ｌ１を予熱することができる。また、第１液体容器１によると、反応熱が不足する状況であっても、ヒータ１８を利用して不揮発性液体Ｌ１を予熱することができる。
【０２２２】
また、例えば、捕集装置５００の循環配管１３付きの液体容器１に、ヒータ１８と、インライン型の反応器１４と、を備えることもできる。このような液体容器１によると、ドライウェル１１との熱交換、ウェットウェル１２の水素・水蒸気の反応熱、及び、ヒータ１８の熱で、互いに熱不足を補いながら、安定して不揮発性液体Ｌ１を予熱することができる。
【０２２３】
また、例えば、捕集装置１２００の循環配管１３付きのフィルタベント容器６に、ヒータ１８と、インライン型の反応器１４と、を備えることもできる。このようなフィルタベント容器６によると、ドライウェル１１との熱交換、ドライウェル１１の水素・水蒸気の反応熱、及び、ヒータ１８の熱で、互いに熱不足を補いながら、安定して不揮発性液体Ｌ１を予熱することができる。
【０２２４】
また、前記の各捕集装置や捕集方法において、不揮発性液体Ｌ１やスクラビング水Ｌ２の他に、その他のイオン液体、界面活性剤溶液等を併用してもよい。また、前記の各捕集装置において、図示した配管や機器の他に、その他の配管や機器を備えてもよい。例えば、各捕集装置に、液体容器１を通らないドライウェルベント用のバイパス配管、液体容器１を通らないウェットウェルベント用のバイパス配管等を備えることもできる。また、循環配管１３は、ドライウェル１１に通してもよいし、ウェットウェル１２に通してもよいし、これらの両方に通してもよい。
【０２２５】
また、前記の各捕集装置や捕集方法において、原子炉の形式は、特に制限されるものではない。原子炉としては、沸騰水型原子炉（Boiling Water Reactor：ＢＷＲ）、改良型沸騰水型原子炉（Advanced Boiling Water Reactor：ＡＢＷＲ）、加圧水型原子炉（Pressurized Water Reactor：ＰＷＲ）等の各種の形式に適用することができる。不揮発性液体Ｌ１として用い得るイオン液体等は、一般産業向けに実用化されている。放射性物質で汚染されたイオン液体等は、例えば、特表２００３−５０７１８５号に記載された方法等で処理・再生することができる。
【符号の説明】
【０２２６】
１        液体容器
２ａ      上流側ベント配管（導入配管）
２ｂ      上流側ベント配管（排出配管）
４        圧力開放弁
５        隔離弁
６        フィルタベント容器
７        金属フィルタ
８        下流側ベント配管
９        排気筒
１０      原子炉格納容器
１１      ドライウェル
１２      ウェットウェル
１３      循環配管
１４      反応器
１５      ガス注入装置
１６      ガス注入配管
１７      液体注入配管
１８      ヒータ
１９      非常用電源
２０      フィルタベント装置
Ｌ１      不揮発性液体
Ｌ２      スクラビング水
１００    捕集装置
２００    捕集装置
３００    捕集装置
４００    捕集装置
５００    捕集装置
６００    捕集装置
７００    捕集装置
８００    捕集装置
９００    捕集装置
１０００  捕集装置
１１００  捕集装置
１２００  捕集装置
【図１】
2020094979.tif 000003
【図２】
2020094979.tif 000004
【図３】
2020094979.tif 000005
【図４】
2020094979.tif 000006
【図５】
2020094979.tif 000007
【図６】
2020094979.tif 000008
【図７】
2020094979.tif 000009
【図８】
2020094979.tif 000010
【図９】
2020094979.tif 000011
【図１０】
2020094979.tif 000012
【図１１】
2020094979.tif 000013
【図１２】
2020094979.tif 000014